(57)【要約】【課題】  容易な操作によって表示手段の表示を変更することができる計測値表示装置を提供する【解決手段】  計測値を含む所定情報を表示する表示手段１と、この表示手段１を表示制御する制御手段２と、を備えた計測値表示装置において、表示手段１と制御手段２とを収納するケース３と、ケース３に加えられる衝撃に応じた検出信号を制御手段２へ出力する衝撃検出手段４と、を備え、制御手段２は、衝撃検出手段４からの検出信号に基づいて表示手段１による表示を変更させてなる。【選択図】  図１
2010160129.tif 000002
【特許請求の範囲】
【請求項１】
計測値を含む所定情報を表示する表示手段と、この表示手段を表示制御する制御手段と、を備えた計測値表示装置において、
前記表示手段と前記制御手段とを収納するケースと、
前記ケースに加えられる衝撃に応じた検出信号を制御手段へ出力する衝撃検出手段と、
を備え、
前記制御手段は、前記衝撃検出手段からの検出信号に基づいて前記表示手段による表示を変更させてなることを特徴とする計測値表示装置。
【請求項２】
前記制御手段は、前記衝撃検出手段からの検出信号に基づいて前記表示手段の起動／停止を切り換えてなることを特徴とする請求項１に記載の計測値表示装置。
【請求項３】
前記制御手段は、所定条件において前記表示手段による表示輝度を低減、または停止する省電力状態となるように前記表示手段を制御し、この省電力状態において、前記衝撃検出手段からの検出信号に基づいて前記表示手段による表示を復帰させてなることを特徴とする請求項１に記載の計測値表示装置。
【請求項４】
前記制御手段は、前記衝撃検出手段からの検出信号に基づいて前記表示手段の表示内容を切り換えてなることを特徴とする請求項１に記載の計測値表示装置。
【請求項５】
前記制御手段は、前記衝撃検出手段からの検出信号に基づいて、衝撃を受けた回数をカウントし、前記回数に応じて予め設定された表示内容が前記表示手段に表示されるように画面切り換えさせてなることを特徴とする請求項１に記載の計測値表示装置。
【発明の詳細な説明】
【技術分野】
【０００１】
本発明は、計測値を表示する表示手段を備えた計測値表示装置に関し、例えば、自動車、オートバイ、船舶、農建機、航空機に代表される各種乗り物や作業機械に搭載される計測値表示装置として好適である。
【背景技術】
【０００２】
従来、例えば、車両のダッシュボードに車両速度、走行距離、残燃料量などの計測値を表示させる表示手段を備えた計測値表示装置があり、特許文献１に開示されている。
【０００３】
これらの計測値表示装置は、表示内容を切り換えたり設定値を入力するなど利用者が操作できるようにスイッチを備えるものが一般的である。
【先行技術文献】
【特許文献】
【０００４】
【特許文献１】特開２００３−２５４７８７号公報
【発明の概要】
【発明が解決しようとする課題】
【０００５】
しかしながら、特に、オートバイや建築機械などに適用される計測値表示装置にあっては、利用者が手袋をして運転操作や通常稼働操作を行う可能性が高く、小さな形状のスイッチを操作する場合には、手袋の着脱を余儀なくされるという問題があった。また、手袋の着脱が面倒であるため、例えば、大きなスイッチを用いるなどして手袋を装着したままでも容易に操作できるようにするものがあるが、大きな配置スペースを確保する必要があり改善の余地があった。
【０００６】
また、スイッチの押し圧操作は、車両の操作に比べて細かな操作であるため利用者にとって煩わしさを感じさせてしまうという問題があった。
【０００７】
そこで本発明の目的は、上述した問題に着目してなされたものであって、容易な操作によって表示手段の表示を変更することができる計測値表示装置を提供することにある。
【課題を解決するための手段】
【０００８】
本発明の計測値表示装置は、計測値を含む所定情報を表示する表示手段と、この表示手段を表示制御する制御手段と、を備えた計測値表示装置において、前記表示手段と前記制御手段とを収納するケースと、前記ケースに加えられる衝撃に応じた検出信号を制御手段へ出力する衝撃検出手段と、を備え、前記制御手段は、前記衝撃検出手段からの検出信号に基づいて前記表示手段による表示を変更させてなることを特徴とする計測値表示装置。
【０００９】
また、前記制御手段は、前記衝撃検出手段からの検出信号に基づいて前記表示手段の起動／停止を切り換えてなることを特徴とする。
【００１０】
また、前記制御手段は、所定条件において前記表示手段による表示輝度を低減、または停止する省電力状態となるように前記表示手段を制御し、この省電力状態において、前記衝撃検出手段からの検出信号に基づいて前記表示手段による表示を復帰させてなることを特徴とする。
【００１１】
また、前記制御手段は、前記衝撃検出手段からの検出信号に基づいて前記表示手段の表示内容を切り換えてなることを特徴とする。
【００１２】
また、前記制御手段は、前記衝撃検出手段からの検出信号に基づいて、衝撃を受けた回数をカウントし、前記回数に応じて予め設定された表示内容が前記表示手段に表示されるように画面切り換えさせてなることを特徴とする。
【発明の効果】
【００１３】
本発明は、計測値を含む所定情報を表示する表示手段と、表示手段を表示制御する制御手段と、を備えた計測値表示装置に関し、容易な操作によって表示手段の表示を変更することができる。
【図面の簡単な説明】
【００１４】
【図１】本発明の実施の形態の構成を示すブロック図。
【発明を実施するための形態】
【００１５】
以下、本発明が適用された実施の形態について添付図面を用いて説明する。
【００１６】
図１は、本発明を建設機械用のモニタに適用した実施例であり、表示手段１と、制御手段２と、ケース３と、衝撃検出手段４と、から主に構成されている。
【００１７】
表示手段１は、例えば、バックライト１１を設けたＴＦＴ型の液晶表示パネルを採用でき、制御手段２からの制御信号に基づいて、稼働時間、エンジン回転数、残燃料量、メンテナンス情報等の計測値や時刻、作業情報、カメラによる映像などの所定情報を表示することができる。また、表示手段１は、この場合、回路基板５の配線と異方性導電部材１２によって電気的に接続される。
【００１８】
制御手段２は、回路基板５に実装された演算処理回路であり、例えば、マイクロコンピュータ、グラフィックコントローラを適用でき、衝撃検出手段４からの検出信号、または、図示しないがＣＡＮ（Ｃｏｎｔｒｏｌｌｅｒ  Ａｒｅａ  Ｎｅｔｗｏｒｋ）通信ケーブルを経由してケース３外の別途車両に搭載されるＥＣＵからエンジン回転数や燃料消費量などの各種情報を入力できるように接続される。
【００１９】
また、制御手段２は、前記検出信号や各種情報に基づいて演算処理するためのＣＰＵと、このＣＰＵにおける演算処理結果等を一時的に格納する読み出し及び書き換え可能なＲＡＭや、制御プログラムや制御データを格納したＲＯＭから構成される記憶部と、前記各種情報の入力や表示手段１へ出力する制御信号などをやり取りするために接続された入出力インターフェイスと、を備えている。
【００２０】
ケース３は、表示手段１、制御手段２、衝撃検出手段４を保持して収納するもので、例えば、合成樹脂からなる筐体を適用できる。この場合、ケース３は、螺子やフックなどの固定部材を用いて、表示手段１と、制御手段２や衝撃検出手段４を実装した回路基板と、を挟み込むようにして保持している。また、表示手段２による表示が利用者から臨めるようにしている。
【００２１】
衝撃検出手段４は、ケース３が受けた衝撃に応じた検出信号を制御手段２へ出力するもので、例えば、加速度センサを適用できる。衝撃検出手段４は、この場合、制御手段２と同じ回路基板５に実装され、ケース３が受ける衝撃を回路基板５を介して検出するように構成される。
【００２２】
以上のように、計測値表示装置を構成でき、次に制御手段２による表示手段１の制御処理について説明する。
【００２３】
制御手段２は、衝撃検出手段４からの検出信号を監視し、ケース３が利用者によってノック操作、または打撃操作などによる衝撃を受けたか否かを検出信号の波形から操作判定処理し、前述衝撃を受けたと判定した場合には、表示手段１を画面切り換えし、表示中の表示内容を変更させるように制御信号を出力する。例えば、エンジン回転数などの計測値表示画面から、メンテナンス確認画面、ユーザーカスタマイズ画面などへ画面切り換えするように促す制御信号を表示手段１へ出力する。
【００２４】
斯かる計測値表示装置は、計測値を含む所定情報を表示する表示手段１と、この表示手段１を表示制御する制御手段２と、を備えた計測値表示装置において、表示手段１と制御手段２とを収納するケース３と、ケース３に加えられる衝撃に応じた検出信号を制御手段２へ出力する衝撃検出手段４と、を備え、制御手段２は、衝撃検出手段４からの検出信号に基づいて表示手段１による表示を変更させてなる。
【００２５】
従って、専用スイッチなどを用意しなくてよいため、配置スペースを少なくできる。また、スイッチの押し圧操作と比較して細かな入力操作でないため、手袋など着用したままの容易な操作によって、表示手段の表示を変更することが可能となる。
【００２６】
また、制御手段２は、表示手段１で表示される画面（表示内容）を切り換える順が予め定められており、衝撃検出手段４からの検出信号を監視し、所定時間（例えば、１秒間）隔てることなく何回の衝撃を受けたかをカウントするカウント処理を行い、このカウント回数に応じて切り換え先の画面を選択して、表示手段１に表示させる構成である。なお、これらの処理は、切り換え可能な画面が多数ある場合に有効であり、特に、計測値表示装置の操作に慣れた利用者にあっては、不必要な画面の描画処理などを省くことができるため、素速く所望の画面（表示内容）を表示させるための操作が可能となる。
【００２７】
なお、制御手段２は、上述のカウント処理において、所定時間隔てることなく何回の衝撃を受けたかをカウントするように処理するものを示したが、利用者による衝撃回数が所定時間（例えば１秒）内に何回生じたかをカウントするように処理することもできる。
【００２８】
また、別例として、制御手段２は、衝撃検出手段４からの検出信号に基づいて表示手段１の起動／停止を切り換えてなることができる。例えば、利用者による建設機械の稼働操作が一定時間無い場合や、バッテリー電源の残容量が少ない場合など所定条件を満たす場合に、制御手段２の一部処理を自動停止し、表示手段１による表示輝度を低減、または停止する省電力状態となるように表示手段１を制御する仕様がある。この省電力状態において、制御手段２は、衝撃検出手段４からの検出信号に基づいて前述操作判定処理を行い、利用者によってケース３への衝撃を与える操作があった場合に、表示画面を省電力状態の前に復帰させるように表示手段１を制御することができる。
【００２９】
また、制御手段２は、前述操作判定処理によって、モニタ（計測値表示装置）の起動／停止を切り換えることもできる。この場合、利用者は、ケース３に触れて操作する（衝撃を与える）だけで、モニタが起動されてから一定時間表示されるオープニング画面や、モニタが停止される前に一定時間表示されるエンディング画面へ切り換えることができる。なお、オープニング画面やエンディング画面は、ロゴやメッセージを表示するものである。
【００３０】
斯かる計測値表示装置は、制御手段２は、衝撃検出手段４からの検出信号に基づいて表示手段１の起動／停止を切り換えてなり、制御手段２は、所定条件において表示手段１による表示輝度を低減、または停止する省電力状態となるように表示手段１を制御し、この省電力状態において、衝撃検出手段４からの検出信号に基づいて表示手段１による表示を復帰させてなる。
【００３１】
従って、省電力状態からの復帰操作として、例えば、スイッチやキー操作など操作を行うことなく、これらの操作と比較して簡単で大雑把な操作によって、通常表示へ移行することができる。なお、この場合、制御手段２は、ケース３に衝撃を与える回数やタイミングを表示復帰条件として予め設定し、この条件を判定することによって、選択的な利用者の意図した動作、あるいはセキュリティを確保した操作を行うこともできる。
【００３２】
なお、本発明の計測値表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００３３】
本発明は、例えば、自動車やオートバイ、あるいは農業機械や建設機械を備えた移動体に搭載される計測値表示装置として適用できる。
【符号の説明】
【００３４】
１  表示手段
２  制御手段
３  ケース
４  衝撃検出手段
【図１】
2010160129.tif 000003